【事件の表示】
　特許第２８６４１６０号「管状部材の成形方法、及びその装置」の請求項１ないし２に係る特許に対する特許異議の申立てについて、次のとおり決定する。
【結論】
　特許第２８６４１６０号の請求項１ないし２に係る特許を維持する。
【理由】
１．本件の経緯
　本件特許第２８６４１６０号は、平成２年８月２９日に出願し、平成１０年１２月１８日に設定登録され、平成１１年３月３日に特許公報に掲載されたところ、同年９月２日に井上盛夫から特許異議の申立を受けたものである。
２．本件発明
　本件発明は、本件明細書の特許請求の範囲の請求項１および２に記載された次のものである。
［請求項１］断面形状の異なる二つの部分を有する管状部材を連続して成形する方法であって、成形ダイ本体の押出用開口に中芯を非突出状態で挿入して形成された押出成形口に対して可動成形ダイを進入・退避させることにより、成形原料の一部を排出させてその押出量を調整すると共に、前記可動成形ダイの先端の成形面により外周面の形状を規制しながら成形原料を押出して、内外周面の形状を変化させることを特徴とする管状部材の成形方法。
［請求項２］押出用開口が設けられていると共に、成形原料の流路に原料排出路が接続して設けられている成形ダイ本体と、該成形ダイ本体の押出用開口に非突出状態で挿入されて押出成形口を形成するための中芯と、先端面が成形面となっていて、前記押出成形口に対して進入・退避可能なように前記成形ダイ本体の前端面に装着される可動成形ダイと、から成り、前記可動成形ダイの進入・退避動作に連動して、前記成形ダイ本体に設けられた原料排出路が該可動成形ダイによって閉塞・開口されるように構成されていることを特徴とする管状部材の成形装置。
３．特許異議申立人の主張
　特許異議申立人井上盛夫は、甲第１〜４号証を提出して次のような主旨の主張をしている。
　「本件請求項１および２に係る発明は、甲第１号証に記載された発明に基づいて当業者が容易に発明をすることができたものであり、また、少なくとも甲第１号証に記載された発明と、甲第２、３又は４号証に記載された発明を適宜組み合わせることにより当業者が容易に発明をすることができたものであるから、特許法第２９条第２項の規定により特許を受けることができないものである。」
４．特許異議申立人の主張についての検討
　甲第１号証（特開昭６１−２３０９３０号公報）には、「ふくらんだ端部ないしヘッド部（２ｂ）を備えたウエブ（２ａ）の形状を呈する横断面を有する所定の形状の部分（２）を含んでいるウエザーストリップ（１，２）であって、上記部分（２）のウエブ（２ａ）の大きさが上記ウエザーストリップ（１，２）の長手方向に沿って予め定められた最小値と最大値の間で変えられるようになっているウエザーストリップ（１，２）の製造方法において、上記最大値を超える横方向の大きさを有するタブ部を含んでいる成形体を押し出し、押し出しの後直ちに上記タブを押し出された材料を第１の流れと第２の流れに分割し、上記第１の流れの横断面が少なくとも成形される上記ウエザーストリップ（１，２）の上記部分（２）の横断面の面積に等しい面積を有するようにし、所定形状を有する部分（２）のウエブ（２ａ）の横方向の大きさの変化に対応し、かつ押し出しの進行に従って上記タブが第１の流れと第２の流れに分割される際の比率を変更し、上記部分（２）のヘッド（２ｂ）の横断面を形成するように上記第１の流れの横方向の端部を漸次成形する各ステップを含むことを特徴とするウエザーストリップの製造方法。」（特許請求の範囲第１項）および「横断面にふくらんだ端部ないしヘッド部（２ｂ）を備えたウエブの形状を有する部分（２）を含んでいるウエザーストリップ（１，２）であって、上記部分（２）のウエブ（２ａ）の長手が上記ウエザーストリップ（１，２）の長さに沿って予め定められた最小値と最大値の間で変えられるようになっているウエザーストリップ（１，２）の製造装置において、上記最大値を越える横方向の大きさを有するタブを押し出すための細長い開口（１３）を含んでいる押出穴（１２，１３）を有する押出ヘッド（１０）を、上記開口（１３）の前でかつこれに沿って押出ヘッド（１０）の前面に接触し、シールを保ちつつ摺動可能な部材（１７）とを備えており；上記部材はその前面と後面の間に、上記部材が摺動する方向に関して互いに隣り合った成形用開口（１８）および排出用開口（１９）を有しており、上記開口（１８，１９）は上記押出穴の開口（１３）を通って押し出された材料を第１および第２の流れに分割するようになっており；上記成形用開口（１８）は、上記部分（２）のヘッド部（２ｂ）の横断面を付与するように、第１の流れの横方向の端部を漸次成形するような形状をしていることを特徴とするもの。」（特許請求の範囲第２項）等が記載されているが、その第１図や第４図や第９図等を見れば明らかなように、そのウエザーストリップの製造方法および製造装置は、アンカー部（１）と、ウエブ（２ａ）およびヘッド部（２ｂ）からなるシール部（２）を有するウエザーストリップを製造するもので、管状部材を製造するものではないから、断面形状の異なる二つの部分を有する管状部材を連続して成形する方法に係る本件請求項１に係る発明と関係のないものであり、また、その製造装置の押出ヘッド（１０）は、最大値を超える横方向の大きさを有するタブを押し出すための細長い開口（１３）を含んでいる押出穴（１２，１３）を有するだけで、それには、押出穴（１２，１３）以外に原料の流路に原料排出口が設けられているわけではないし、さらに、押出ヘッド（１０）の前面に接触しシールを保ちつつ摺動する部材（１７）は、その前面と後面の間に摺動方向に隣り合った成形用開口（１８）および排出用開口（１９）を有し、それらの開口（１８，１９）は上記押出穴の開口（１３）を通って押し出された材料を常時第１の流れと第２の流れに分割するようになっているものであるから、甲第１号証に記載された製造装置は、可動成形ダイの進入・退避動作に連動して成形ダイ本体に設けられた原料排出路が可動成形ダイによって閉塞・開口されるように構成されているものである本件請求項２に係る成形装置とも構成が著しく相違するものである。
　そうすると、甲第１号証を主の引用例として、本件発明の容易論を展開することは全く合理性がない。
　また、甲第２号証（特開昭５９−１６０６７７号公報）には、「自動車ボデイー用気密材およびその押出し成形用ヘッド」に関する発明が記載されているが、第６図や、その第３頁左下欄６行から右下欄３行に、「第６図に示されるように、ダイ（１４）の前側自由面には２対のガイド（１８）が設けられており、これらの間には２つのシャッター（１９，２０）が可動に取り付けられている。シャッター部材（１９，２０）は、図示していない従来の駆動手段によりそれぞれのガイド対に沿って、コア（１６）方向で集合する矢印（Ａ，Ｂ）方向にそれぞれ移動する。コア側のシャッター（１９，２０）の各側部（１９ａ、２０ａ）は、弓状になっており、その凹部はコア（１６）と対面している。後者は、少なくともシャッター部材（１９，２０）の厚さに相当する程度にダイの孔部（１５）より軸方向に突出している。第６図において、シャッター部材（１９）は、押出しオリフィスを妨害しない休止位置にある。これに対し、シャッター部材（２０）は、孔部（１５）の壁（１５ｂ）とコア（１６）との間に形成された環状通路の一部を部分的にしゃ断する作用位置にある。」と記載されており、コア側のシャッター（１９，２０）の各側部（１９ａ、２０ａ）は、弓状になっていてその凹部はコア（１６）と対面しており、コアは、少なくともシャッター部材（１９，２０）の厚さに相当する程度にダイの孔部（１５）より軸方向に突出しているから、甲第２号証に記載された装置は、本件各発明のように成形ダイ本体の押出用開口に中芯を非突出状態で挿入して押出成形口を形成しているものではなく、シャッター（１９，２０）の弓状になっている各側部（１９ａ、２０ａ）は、コア（１６）と共同して押出成形口を形成するものであるから、シャッター（１９，２０）は、本件各発明でいう可動成形ダイには相当しないし、しかも、シャッター（１９，２０）には、原料排出路というものが存在しない。
　そうすると、甲第２号証に記載された押出し成形用ヘッドに関する技術も、本件各発明と著しく相違するものであり、甲第２号証を主の引用例として、本件発明の容易論を展開することも無理である。
　そして、甲第３号証（特開昭６２−１２１０３０号公報）は、本件明細書で既に挙げているものであって、同書の［従来技術］の欄に記載されたところの欠点を有するものにすぎず、また、甲第４号証（特開平１−３１４１５３号公報）に記載されたウエザーストリップの製造法および装置は、可動ダイに設けたスリットの切込形成部（分割形成部）によってウエザーストリップのリップ部に粘着接合部を形成し、加硫後にそこから不要部を引き剥がすものにすぎない。
　してみると、甲第１〜４号証の記載を総合したところで、本願各発明がそれらに記載された発明に基づいて当業者が容易に発明をすることができたものであるとする理由を導き出すことはできないから、特許異議申立人の主張は理由がない。
５．結び
　以上のとおりであるから、特許異議の申立の理由および証拠によっては、本件請求項１および２に係る特許を取り消すことはできない。
　また、他に本件請求項１および２に係る特許を取り消すべき理由を発見しない。
　よって、結論のとおり決定する。
【異議決定日】
平成１１年１１月２４日（１９９９．１１．２４）